(57)【特許請求の範囲】
【請求項１】
帯状のバンド基材と、
このバンド基材の裏面側に形成した粘着剤層と、
この粘着剤層の裏面側に仮着した台紙と、を有し、
前記バンド基材は、
特定情報を印字可能な印字領域と、
この印字領域の左右端部にそれぞれ位置し、この印字領域とともに手首や足首などの被巻付け部に巻き付け可能な第１の巻付け領域および第２の巻付け領域と、を有するリストバンドであって、
前記第１の巻付け領域および前記第２の巻付け領域の少なくともいずれか一方に破断用切込み部を形成し、
前記第１の巻付け領域あるいは前記第２の巻付け領域の裏面側の前記台紙を剥離可能として、この巻付け領域の前記粘着剤層を露出可能とし、
この露出した前記粘着剤層を前記第２の巻付け領域あるいは前記第１の巻付け領域の前記バンド基材側に貼り付けて重ね合わせ、前記被巻付け部に巻き掛けるように環状に形成可能としているとともに、
前記第１の巻付け領域に第１の貼付け位置確認用マークと、
前記第２の巻付け領域には、前記第１の貼付け位置確認用マークと対をなす第２の貼付け位置確認用マークと、を形成していることを特徴とするリストバンド。
【請求項２】
前記第１の巻付け領域および前記第２の巻付け領域の重合わせ領域部に前記破断用切込み部を位置させるように、当該リストバンドを前記環状に形成可能としていることを特徴とする請求項１記載のリストバンド。
【請求項３】
前記破断用切込み部は、当該リストバンドの長さ方向に沿って、複数本の切込み線を有していることを特徴とする請求項１または２記載のリストバンド。
【請求項４】
前記破断用切込み部は、その切込み尖端部が当該リストバンドの順方向および逆方向それぞれに向かうジグザグ状切込み線を有していることを特徴とする請求項１ないし３のいずれかに記載のリストバンド。
【請求項５】
前記破断用切込み部は、前記第１の巻付け領域あるいは前記第２の巻付け領域の少なくともいずれか一方の幅方向に延びる幅方向切込み線を有していることを特徴とする請求項１ないし４のいずれかに記載のリストバンド。
【請求項６】
前記第１の巻付け領域あるいは前記第２の巻付け領域の裏面側の前記台紙を剥離可能な剥離用切込み線を前記台紙に形成したことを特徴とする請求項１ないし５のいずれかに記載のリストバンド。
【請求項７】
前記貼付け位置確認用マークの近傍に前記破断用切込み部を形成していることを特徴とする請求項１ないし６のいずれかに記載のリストバンド。
【請求項８】
前記バンド基材には、取外し用ハーフカットを形成していることを特徴とする請求項１ないし７のいずれかに記載のリストバンド。
【発明の詳細な説明】
【技術分野】
【０００１】
本発明はリストバンドにかかるもので、とくに医療分野や遊技場分野で患者や入場者の手首や足首などに巻き付けるようにして取り付けることにより、人物を特定することができるようにしたリストバンドに関するものである。
【背景技術】
【０００２】
従来から、リストバンドとしては、その帯状のバンド本体の両端部にそれぞれプラスチック製の留め具を設けて、この両端部を互いに留めることにより手首や足首などの被巻付け部に環状に巻き付け可能とするものが一般的であるが、この留め具が比較的高価であることから、安価に製造可能なリストバンドが求められている。
【０００３】
安価なリストバンドとしては、その裏面側に粘着剤層を有するラベル形態とし、上記留め具を用いることなく、その両端部を貼り合わせるような構造のものがある。
しかしながら、このようなラベル形態のリストバンドを、たとえば、遊技場の入場券として使用する際に、使用者がリストバンドの貼合わせ部分を故意にはがし、複数人が一枚のリストバンドを付け替えて不正使用するような場合があるという問題がある。
【０００４】
もちろん、医療の現場でも、一度取り付けたリストバンドについて再度の使用を行おうとした場合には、ある患者から一度取り外したリストバンドを他の患者の手首あるいは足首に間違って取り付けてしまうという問題がある。
【０００５】
さらに、ラベル形態としたリストバンドの両端部を貼り合わせる際に、両端部を所定の長さにわたって互いに的確かつ確実に、また注意深く貼り付けないと、不正使用防止用にこの両端部に形成した切込み部がその貼合わせ部（重合わせ部）が位置せずに、その破断機能を十分に発揮することが困難であるという問題がある。
【先行技術文献】
【特許文献】
【０００６】
【特許文献１】特開２００７−２２９０００号公報
【発明の概要】
【発明が解決しようとする課題】
【０００７】
本発明は以上のような諸問題にかんがみなされたもので、プラスチック製の留め具などを用いることなく、ラベル形態の構造を採用して安価に製造可能なリストバンドを提供することを課題とする。
【０００８】
また本発明は、患者の取り違いや、不正使用を防止可能なリストバンドを提供することを課題とする。
【０００９】
また本発明は、とくに不正使用を目的として一時的に貼合わせ部をはがそうとした場合には、確実に破断し、原状に復帰することが困難であるようにしたリストバンドを提供することを課題とする。
【００１０】
また本発明は、帯状の形態から環状の形態に確実かつ簡単に作成して、不正使用防止用の破断用切込み部を両端部の貼合わせ部（重合わせ部）に確実に位置させることができるリストバンドを提供することを課題とする。
【課題を解決するための手段】
【００１１】
すなわち本発明は、患者や入場者を特定可能な特定情報を印字する印字領域の左右端
部にそれぞれ位置する第１の巻付け領域および第２の巻付け領域の少なくともいずれか一
方に破断用切込み部を形成すること、および第１の巻付け領域および第２の巻付け領域の
少なくともいずれか一方に、貼付け位置確認用マークを形成することに着目したもので、
帯状のバンド基材と、このバンド基材の裏面側に形成した粘着剤層と、この粘着剤層の裏
面側に仮着した台紙と、を有し、上記バンド基材は、特定情報を印字可能な印字領域と、この印字領域の左右端部にそれぞれ位置し、この印字領域とともに手首や足首などの被巻付け部に巻き付け可能な第１の巻付け領域および第２の巻付け領域と、を有するリストバンドであって、上記第１の巻付け領域および上記第２の巻付け領域の少なくともいずれか一方に破断用切込み部を形成し、上記第１の巻付け領域あるいは上記第２の巻付け領域の裏面側の上記台紙を剥離可能として、この巻付け領域の上記粘着剤層を露出可能とし、この露出した上記粘着剤層を上記第２の巻付け領域あるいは上記第１の巻付け領域の上記バンド基材側に貼り付けて重ね合わせ、上記被巻付け部に巻き掛けるように環状に形成可能としているとともに、上記第１の巻付け領域に第１の貼付け位置確認用マークと、上記第２の巻付け領域には、上記第１の貼付け位置確認用マークと対をなす第２の貼付け位置確認用マークと、を形成していることを特徴とするリストバンドである。
【００１２】
上記第１の巻付け領域および上記第２の巻付け領域の重合わせ領域部に上記破断用切込み部を位置させるように、当該リストバンドを上記環状に形成可能としていることができる。
【００１３】
上記破断用切込み部は、当該リストバンドの長さ方向に沿って、複数本の切込み線を有していることができる。
【００１４】
上記破断用切込み部は、その切込み尖端部が当該リストバンドの順方向および逆方向それぞれに向かうジグザグ状切込み線を有していることができる。
【００１５】
上記破断用切込み部は、上記第１の巻付け領域あるいは上記第２の巻付け領域の少なくともいずれか一方の幅方向に延びる幅方向切込み線を有していることができる。
【００１６】
上記第１の巻付け領域あるいは上記第２の巻付け領域の裏面側の上記台紙を剥離可能な剥離用切込み線を上記台紙に形成することができる。
【００１７】
上記貼付け位置確認用マークの近傍に上記破断用切込み部を形成していることができる。
【００１８】
上記バンド基材には、取外し用ハーフカットを形成していることができる。
【００１９】
上記台紙には、エンボス加工を施して、人肌などに直接接触しても通気性を確保し、違和感がないようにすることができる。
【発明の効果】
【００２０】
本発明によるリストバンドにおいては、特定情報を印字する印字領域の左右端部にそれぞれ位置する第１の巻付け領域および第２の巻付け領域の少なくともいずれか一方に破断用切込み部を形成するとともに、第１の巻付け領域および第２の巻付け領域の少なくともいずれか一方に、貼付け位置確認用マークを形成ようにしたので、貼付け位置確認用マークを目印として、破断用切込み部を有する第１の巻付け領域および第２の巻付け領域の少なくともいずれか一方を他方の第２の巻付け領域および第１の巻付け領域に確実にかつ簡単に貼り合わせることができるため、この貼合わせ部を不正にはがそうとしても、第１の巻付け領域および第２の巻付け領域の重合わせ領域部における破断用切込み部が確実に破断する結果、貼合わせ部の原形状を維持してはがすことが困難であり、とくにその不正使用を確実に防止することができる。
もちろん、医療分野におけるリストバンドの取付けおよび取外しの際の過誤を回避可能である。
【図面の簡単な説明】
【００２１】
【図１】本発明の実施例によるリストバンド１の平面図である。
【図２】同、リストバンド１の裏面図である。
【図３】同、図１のＩＩＩ−ＩＩＩ線断面図である。
【図４】同、図１のＩＶ−ＩＶ線断面図である。
【図５】同、帯状のリストバンド１を環状のリストバンド１に形成する状態を説明する断面図である。
【図６】同、リストバンド１を環状として被巻付け部Ｗに巻き付けた状態の断面図である。
【図７】同、第１の巻付け領域６ないし半円形状の目印部１４が位置している部分から、リストバンド１を被巻付け部Ｗから取り外そうとしている場合を説明する斜視図である。
【図８】同、第２の巻付け領域７が位置している部分から、リストバンド１を被巻付け部Ｗから取り外そうとしている場合を説明する斜視図である。
【発明を実施するための形態】
【００２２】
本発明は、破断用切込み部を有する第１の巻付け領域および第２の巻付け領域の少なくともいずれか一方に、貼付け位置確認用マークを形成ようにしたので、この貼付け位置確認用マークを見ながら、第１の巻付け領域および第２の巻付け領域の少なくともいずれか一方を他方の第２の巻付け領域および第１の巻付け領域に確実に貼り付けることができるため、貼付け操作自体にそれほどの注意力を払うことなく、第１の巻付け領域および第２の巻付け領域の重合わせ領域部における破断用切込み部の機能を確実に発揮させることが可能となり、とくに不正使用を確実に防止可能なリストバンドを実現した。
【実施例】
【００２３】
つぎに本発明の実施例によるリストバンド１を図１ないし図８にもとづき説明する。
図１は、リストバンド１の平面図、図２は、同、裏面図、図３は、図１のＩＩＩ−ＩＩＩ線断面図、図４は、図１のＩＶ−ＩＶ線断面図である。
とくに図３に示すように、リストバンド１は、帯状のバンド基材２と、このバンド基材２の裏面側に形成した粘着剤層３と、この粘着剤層３の裏面側に仮着した台紙４と、を有する。
【００２４】
バンド基材２は、たとえばポリプロピレン（ＰＰ）、ポリスチレン（ＰＳ）、ポリエチレン（ＰＥ）などをベースとした合成紙であって、白色顔料を混入したり、その裏面に塗布したりして、不透明性、印字適性および平滑性などを加味したもので、耐候性、耐水性および印字性に優れている。
このバンド基材２は、その長さ方向ほぼ中央部に位置する印字領域５と、印字領域５の左右端部にそれぞれ位置する第１の巻付け領域６および第２の巻付け領域７と、を有する。
【００２５】
印字領域５は、患者や入場者を特定するための特定情報をバーコードその他任意の文字や記号などにより印字可能であるとともに、必要ならば、より多くの情報を保持可能なＩＣチップ（図示せず）などを組み込み可能である。
第１の巻付け領域６および第２の巻付け領域７は、印字領域５とともに患者や入場者の手首や足首などの被巻付け部Ｗ（図５、図６）に巻き付け可能である。
【００２６】
粘着剤層３は、必要な強度の粘着度ないし接着度を有する任意のタイプのものであって、一般糊あるいは強粘着糊などが好ましい。
【００２７】
台紙４は、フィルム系の比較的薄い透明材料などからこれを構成し、必要な強度を有するとともに、その裏面側にエンボス加工面８を形成して、人肌などに直接接触しても人肌との間に通気性を確保し、装着時の違和感がないようにしている。
この台紙４の裏面には、位置検出用マーク９（図２、図３）をあらかじめ印刷してあって、複数枚のリストバンド１を連接した状態のリストバンド連続体を所定のプリンター（図示せず）に装填して矢印のような移送方向Ｒ（図１）に移送して任意のセンサー（図示せず）によりこの位置検出用マーク９を検出して、印字領域５における所定部位に上記特定情報などを印字可能としている。
【００２８】
さらに台紙４の裏面における第１の巻付け領域６の境界部分に、剥離用切込み線１０をリストバンド１の幅方向に形成して第１の巻付け領域６の裏面側の台紙４のはがし領域部４Ａを剥離可能としている。あるいは、第２の巻付け領域７の裏面の台紙４を取り除く場合には第２の巻付け領域７の境界部分に剥離用切込み線１０を形成すればよい。
すなわち、リストバンド１においては、第１の巻付け領域６あるいは第２の巻付け領域７の裏面側の台紙４のはがし領域部４Ａを剥離可能として、この巻付け領域の粘着剤層３を露出可能としている。
【００２９】
第１の巻付け領域６および第２の巻付け領域７の少なくともいずれか一方に破断用切込み部１１を形成している。図示の例では、第１の巻付け領域６に破断用切込み部１１を形成した構成を示している。
破断用切込み部１１は、当該リストバンド１の長さ方向に沿って、複数本のジグザグ状切込み線１２（切込み線）と、第１の巻付け領域６の幅方向に延びる、より短い幅方向切込み線１３（切込み線）と、を有している。
【００３０】
ジグザグ状切込み線１２は、ミシン目あるいは全カット線その他任意の形態の切込み線であればよいが、通常の外力では破断しにくく、第１の巻付け領域６および第２の巻付け領域７の貼合わせ部を無理矢理はがそうとする外力に対しては、容易に破断する構成のものであればよい。
また、ジグザグ状切込み線１２は、第１の巻付け領域６の左右両端縁からわずかに内方部に位置した部分から中央部に向かってこれを形成することもできるし、これをミシン目などから構成する場合には、その端部が左右両端縁に臨むようにすることもできる。
ただし図１に要部を拡大して示すように、ジグザグ状切込み線１２は、好ましくは、その一方の切込み尖端部１２Ａが当該リストバンド１の順方向（たとえば、プリンターにおける移送方向Ｒ）に向かっているとともに、他方の切込み尖端部１２Ｂがリストバンド１の逆方向（移送方向Ｒの逆方向）に向かっている。
幅方向切込み線１３は、下記の半円形状の目印部１４の基端部にこれを形成するために、これをミシン目により構成することが望ましい。
【００３１】
第１の巻付け領域６の上流側端部には、半円形状の目印部１４を突出形成し、その基端部に形成した幅方向切込み線１３が、第１の巻付け領域６の幅方向に延びている。
【００３２】
第１の巻付け領域６における目印部１４の中央部には、円形状を呈した第１の貼付け位置確認用マーク１５（貼付け位置確認用マーク）をあらかじめ印刷してある。
したがって、この第１の貼付け位置確認用マーク１５の近傍に破断用切込み部１１としての上記幅方向切込み線１３を形成していることになる。
第２の巻付け領域７には、第１の貼付け位置確認用マーク１５と対をなす環状を呈した第２の貼付け位置確認用マーク１６（貼付け位置確認用マーク）を形成している。
【００３３】
図５は、帯状のリストバンド１を環状のリストバンド１に形成する状態を説明する断面図、図６は、リストバンド１を環状として被巻付け部Ｗに巻き付けた状態の断面図である。
なお、第１の巻付け領域６の上流側に位置する他のリストバンド１との間の連結領域部１Ａにおける台紙４には、分離用のカットを形成していないので、この連結領域部１Ａと第１の巻付け領域６の裏面部における台紙４（はがし領域部４Ａ）とは互いに一体的に連続した構成であり、連結領域部１Ａから第１の巻付け領域６の目印部１４をはがすようにすれば、連結領域部１Ａおよびはがし領域部４Ａをリストバンド１（第１の巻付け領域６）から容易に剥離することができる。
【００３４】
図５に示すように、はがし領域部４Ａを剥離して第１の巻付け領域６の裏面において露出した粘着剤層３を第２の巻付け領域７におけるバンド基材２の表面側に貼り付けて重ね合わせ、重合わせ領域部１７（貼合わせ領域部）を構成し、被巻付け部Ｗに巻き掛けるように環状に形成する。
かくして、第１の巻付け領域６には破断用切込み部１１が形成されているので、第１の巻付け領域６および第２の巻付け領域７の重合わせ領域部１７に破断用切込み部１１を位置させるように、帯状のリストバンド１を環状（閉鎖円形状）に形成可能としている。
【００３５】
なお、図４に仮想線による引出し線で示すように、バンド基材２には、取外し用ハーフカット１８を形成して、使用完了後のリストバンド１を正常な処理として破断しやすくしておくことができる。
【００３６】
こうした構成のリストバンド１の使用にあたって、図６に示すように、被巻付け部Ｗに環状のリストバンド１を取り付けることになるが、上述のように、第１の巻付け領域６の半円形状の目印部１４側に位置するリストバンド１の連結領域部１Ａを持って第１の巻付け領域６の半円形状の目印部１４の部分から台紙４のはがし領域部４Ａを簡単にはがすことができる。
第１の巻付け領域６の下面側の粘着剤層３を露出した状態で、図５に示したように、第１の巻付け領域６の第１の貼付け位置確認用マーク１５を第２の巻付け領域７の第２の貼付け位置確認用マーク１６に合わせるように第１の巻付け領域６を第２の巻付け領域７に貼り付ければ、それほどの注意を払わなくでも、上述のように、第１の巻付け領域６および第２の巻付け領域７の重合わせ領域部１７に破断用切込み部１１が確実に位置した状態で、簡単な操作でリストバンド１を被巻付け部Ｗに環状に取り付けることができる。
【００３７】
このリストバンド１を不正に取り外して再使用しようとする場合について述べる。
図７は、第１の巻付け領域６ないし半円形状の目印部１４が位置している部分から、リストバンド１を被巻付け部Ｗから取り外そうとしている場合を説明する斜視図、図８は、逆に、第２の巻付け領域７が位置している部分から、リストバンド１を被巻付け部Ｗから取り外そうとしている場合を説明する斜視図である。
【００３８】
図７に示すように、第１の巻付け領域６ないし半円形状の目印部１４が位置している部分から取り外そうとしている場合には、目印部１４の幅方向切込み線１３（破断用切込み部１１）が簡単に切れて、目印部１４が第１の巻付け領域６から分離してしまい、原状に貼り直すことが困難となり、不正使用を防止可能である。
たとえ幅方向切込み線１３が切れない場合であっても、さらに第１の巻付け領域６を第２の巻付け領域７からはがしていく際に、とくにジグザグ状切込み線１２（破断用切込み部１１）の切込み尖端部１２Ｂの部分からバンド基材２が切れ始め、同様に、原状に貼り直すことが困難となり、不正使用を防止可能である。
【００３９】
図８に示すように、第２の巻付け領域７が位置している部分から取り外そうとしている場合には、とくにジグザグ状切込み線１２の切込み尖端部１２Ａの部分からバンド基材２が切れ始め、同様に、原状に貼り直すことが困難となり、不正使用を防止可能である。
【００４０】
かくして、不正使用を防止可能であることはもちろん、ラベル形態としたリストバンド１は安価に製造可能であるため、医療現場などにおいても、一度使用したリストバンド１を再使用することなく、第１の巻付け領域６ないし第２の巻付け領域７の部分をはがして被巻付け部Ｗから取り外し、そのまま破棄することができる。
【００４１】
なお、既述した実施例では、第１の巻付け領域６に破断用切込み部１１を形成した例を説明したが、本発明においては、第２の巻付け領域７に破断用切込み部１１を形成するとともに、第１の巻付け領域６の裏面における台紙４のはがし領域部４Ａを取り除くようにして、第１の巻付け領域６を第２の巻付け領域７に貼り付けるようにすることもできる。
【００４２】
また、本発明における破断用切込み部の形状ないし形態については、既述の実施例のものに限らず、不正使用を目的として一時的に貼合わせ部をはがそうとした場合には、確実に破断し、原状に復帰することが困難なものであれば、任意のものを採用可能である。
さらに、貼付け位置確認用マークについても、第１の巻付け領域６および第２の巻付け領域７を互いに十分な重合わせ領域部１７（貼合わせ領域部）を形成することができるものであれば、任意のものを採用可能である。
【符号の説明】
【００４３】
１  リストバンド（実施例、図１）
１Ａ  リストバンド１の連結領域部（図１、図５）
２  バンド基材（図３）
３  粘着剤層
４  台紙
４Ａ  台紙４のはがし領域部（図３、図４、図５）
５  印字領域
６  第１の巻付け領域
７  第２の巻付け領域
８  台紙４の裏面におけるエンボス加工面
９  位置検出用マーク
１０  台紙４の剥離用切込み線
１１  破断用切込み部（ジグザグ状切込み線１２、幅方向切込み線１３）
１２  ジグザグ状切込み線（切込み線）
１２Ａ  ジグザグ状切込み線１２においてリストバンド１の順方向に延びる一方の切込み尖端部
１２Ｂ  ジグザグ状切込み線１２においてリストバンド１の逆方向に延びる他方の切込み尖端部
１３  幅方向切込み線（切込み線）
１４  第１の巻付け領域６における半円形状の目印部
１５  第１の巻付け領域６における第１の貼付け位置確認用マーク（貼付け位置確認用マーク）
１６  第７の巻付け領域７における第２の貼付け位置確認用マーク（貼付け位置確認用マーク）
１７  第１の巻付け領域６および第２の巻付け領域７の重合わせ領域部（貼合わせ領域部）
１８  バンド基材２に形成することができる取外し用ハーフカット（図４）
Ｒ    複数枚のリストバンド１を連接した状態のリストバンド連続体のプリンターにおける移送方向（図１）
Ｗ    手首や足首などの被巻付け部（図５ないし図８）
【図１】
0005731149.tif 000002
【図２】
0005731149.tif 000003
【図３】
0005731149.tif 000004
【図４】
0005731149.tif 000005
【図５】
0005731149.tif 000006
【図６】
0005731149.tif 000007
【図７】
0005731149.tif 000008
【図８】
0005731149.tif 000009